【事件の表示】
　特願２００４−　１６６１６「紙幣収納装置における紙幣移動装置」拒絶査定不服審判事件〔平成１７年　８月　４日出願公開、特開２００５−２０６３５３〕について、次のとおり審決する。
【結　論】
　本件審判の請求は、成り立たない。
【理　由】
第１　手続の経緯
　本願は、平成１６年１月２６日に出願されたものであって、平成２１年１０月２７日付けでなされた拒絶査定に対して、これを不服として同年１２月２４日に拒絶査定不服審判が請求されたものである。
　
第２　本願発明
　本願の請求項１に係る発明（以下、「本願発明」という。）は、平成２１年２月１３日付けで補正された特許請求の範囲、明細書及び図面の記載からみて、その請求項１に記載された事項により特定される以下のとおりのものである。
「受入れた紙幣(BN)の中央部を紙幣搬送装置(40)と紙幣(押え)(BN、104)との間に挟んで保持し、その紙幣(BN)の両端部を一対の移動体(78、80)により前記紙幣の面と直交方向に移動させることにより前記紙幣(BN)を保留部(42)に移動させると共に、前記移動体(78、80)は、断面チャンネル形に三方を囲われた保持部(88、92)を有し、前記紙幣(BN)の両端部が前記保持部(88、92)を前記搬送装置(40)によって移動されるようにした紙幣収納装置において、
　前記紙幣搬送装置(40)の搬送体(54)の搬送部(60)と前記移動体(78、80)の案内面(85)とが一直線上に位置している紙幣収納装置における紙幣移動装置。」
　
第３　引用文献
　原査定の拒絶の理由に引用された、本願の出願前に頒布された刊行物である、特開２００２−３２１８６２号公報（以下、「引用文献」という。）には、以下の事項が図面とともに記載されている。
　
＜引用文献＞
「【０００９】
【発明の実施の形態】以下に図面を参照して本発明による紙葉類繰り出し集積装置の実施の形態について説明する。
第１実施の形態例
図１は、本発明の第１実施の形態を示す正面図である。図２は、図１の側面図である。
【００１０】１は、集積された紙葉４を収納する収納部であり、収納部１の底部には上下動自在なリンク機構によって支えられたステージ２が設置されている。このステージ２と、収納部１の底面との間には、押圧手段としてバネ要素としてのスプリング１０が設置されており、ステージ２とステージ上の集積紙葉４を常に後述するピックアップローラ３の方向へ押し付ける付勢力を発揮する。
【００１１】また、ステージ２のピックアップローラ３側は、台状に成形されており、繰り出し動作時の紙葉の流れを容易にしている。尚、ステージ２には、図示しない駆動機構が別に設けられており、装置の異常時等にステージを押し下げ、集積紙葉を整える等の用に供している。収納部１の入口付近には、ピックアップローラ３が設けられており、ステージ２に集積された紙葉４の最上位に接触できる位置に設置されている。このピックアップローラ３の外周の一部には、紙葉４を繰り出し給送するに充分な摩擦力を有する高摩擦部材５が備えられている。
【００１２】収納部１の入口の先端側には、繰り出しローラ６が設置されている。この繰り出しローラ６の外周の一部には、ピックアップローラ３と同様に高摩擦部材７が備えられている。さらに、この繰り出しローラ６には、円周方向全周にわたるリング状の２本の溝が並設されている。また、ピックアップローら３と繰り出しローラ６は、連動して同一周速度で回転するよう構成されている。
【００１３】繰り出しローラ６の対向する位置には、分離ローラ８が設置されている。この分離ローラ８は、円周方向全周にわたるリング状の１本の溝を有しており、繰り出しローラ６と互いの溝で所定量噛み合っている。また、分離ローラ８は、紙葉４を収納部１の方向（矢印Ｂの方向）にのみ回転可能な構造になっている。１１ａ，１１ｂは、可動ガイドであって、ピックアップローラ３の両側に配置されている。この可動ガイド１１ａ，１１ｂには、給送された紙葉４を受け取るため、ステージ２側を内側に突出させた受取部１２ａ，１２ｂと、この受取部１２ａ，１２ｂとステージ２上の集積紙葉４との間を分離して集積紙葉４の変形を制限するための圧接部１３ａ、１３ｂとが一体に形成されている。
【００１４】また、可動ガイド１１ａ，１１ｂは、ブラケット１４に一体に取り付けられ、図示しない駆動装置により上下方向に移動できるようになっている。さらに、可動ガイド１１ａ，１１ｂの間には、両端を折り曲げ紙葉に傷等をつけないように成形されたプレート１５が設けられている。次に上述した構成の作用について説明する。
【００１５】収納部１に紙葉４が集積される集積動作の場合は、可動ガイド１１ａ，１１ｂが図示しない駆動装置によって、可動ガイドの受取部１２ａ，１２ｂとピックアップローラ３の下端との間に紙葉４の受け取りに必要な空間を確保するよう移動する。この時、ステージ２は、スプリング１０により押し上げられているので、可動ガイド１１ａ，１１ｂの圧接部１３ａ，１３ｂが既に集積されている紙葉４の両側に当接し、集積紙葉４を挟み保持する。尚、集積紙葉がステージ２上にない場合は、ステージ２が可動ガイドの圧接部１３ａ，１３ｂに直接当接する。
【００１６】図示しない搬送路から紙葉４が給送されると、ピックアップローラ３と繰り出しローラ６はＡ方向に、分離ローラはＢ方向に回転し、繰り出しローラ６の高摩擦部材７とピックアップローラ３の高摩擦部材４の摩擦力によって搬送され、可動ガイドの受取部１２ａ，１２ｂ上に収納される。この時、ピックアップローラ３と繰り出しローラ６は同一周速度で回転しているので、紙葉４がピックアップローラ３と繰り出しローラ６の間で弛むことなく紙葉４を搬送する。
【００１７】紙葉４が可動ガイドの受取部１２ａ，１２ｂに収まると、可動ガイド１１ａ，１１ｂは図示しない駆動装置によって同時に上方に移動する。この過程で、受取部の紙葉４が可動ガイドの受取部１２ａ，１２ｂによって持ち上げられ、可動ガイド１１ａ，１１ｂの中間に位置するピックアップローラ３に当接し、プレート１５によって紙葉４の皺、反り等を規制されながら、紙葉４が可動ガイドの受取部の底面１５ａ，１５ｂから外れる。
【００１８】この時、ステージ２はスプリング１０の付勢力によって、可動ガイド１１ａ，１１ｂの動きに追随し移動するので、集積紙葉４をピックアップローラ３とステージ２の間に挟込み保持する。このようにして、外れた紙葉４が既に集積された紙葉の最上位に重なり集積されることで集積動作が終了する。尚、搬送路より連続して紙葉が給送される場合は、上記動作を繰り返すことにより紙葉が順次集積される。
【００１９】図３、図４は、本実施形態の繰り出し動作時の状態を示した正面図と側面図である。繰り出し動作の場合は、可動ガイド１１ａ，１１ｂが図示しない駆動装置によって紙葉繰り出し動作部より退避する。ステージ２上の集積紙葉４は、ピックアップローラ３とステージ２の間にスプリング１０による付勢力によって挟まれ保持されている。」
　
　また、図面の図３に、紙葉４の中央部をピックアップローラ３とステージ２の間に挟込み保持することが記載されていると認められる。
　また、図面の図１、３に、可動ガイド１１ａ、１１ｂは、断面チャンネル形に三方を囲われた保持部を有していることが記載されていると認められる。
　
　ここで、引用文献の可動ガイド１１ａ、１１ｂやこれを上下に移動させる駆動装置などからなる構成が移動装置であると総称した場合、以上の記載及び図面の記載を総合すると、引用文献には、次の発明（以下、「引用発明」という。）が記載されているものと認められる。
　
（引用発明）
「受入れた紙葉４の中央部をピックアップローラ３と紙葉４又はステージ２との間に挟んで保持し、その紙葉４の両端部を一対の可動ガイド１１ａ、１１ｂにより前記紙葉４の面と直交方向に移動させることにより前記紙葉４を収納部１に移動させると共に、前記可動ガイド１１ａ、１１ｂは、断面チャンネル形に三方を囲われた保持部を有し、前記紙葉４の両端部が前記保持部を前記ピックアップローラ３によって移動されるようにした紙葉類繰り出し集積装置において、
　可動ガイド１１ａ、１１ｂの受取部１２ａ、１２ｂとピックアップローラ３の下端との間に紙葉４の受け取りに必要な空間を設けている紙葉類繰り出し集積装置の移動装置。」
　
第４　対比
　本願発明と引用発明とを対比する。
　引用発明の「紙葉４」、「ピックアップローラ３」、「ステージ２」、「可動ガイド１１ａ、１１ｂ」、「収納部１」、「紙葉類繰り出し集積装置」が、それぞれ本願発明の「紙幣」、「紙幣搬送装置」、「紙幣(押え)」、「移動体」、「保留部」、「紙幣収納装置」に相当する。
　すると、本願発明と引用発明との一致点と相違点は次のとおりである。
【一致点】
「受入れた紙幣の中央部を紙幣搬送装置と紙幣(押え)との間に挟んで保持し、その紙幣の両端部を一対の移動体により前記紙幣の面と直交方向に移動させることにより前記紙幣を保留部に移動させると共に、前記移動体は、断面チャンネル形に三方を囲われた保持部を有し、前記紙幣の両端部が前記保持部を前記紙幣搬送装置によって移動されるようにした紙幣収納装置。」
【相違点】
　本願発明では、「前記紙幣搬送装置(40)の搬送体(54)の搬送部(60)と前記移動体(78、80)の案内面(85)とが一直線上に位置している」のに対し、引用発明では、「可動ガイド１１ａ、１１ｂの受取部１２ａ、１２ｂとピックアップローラ３の下端との間に紙葉４の受け取りに必要な空間を設けている」点。
　
第５　検討
　ここで、上記相違点について検討する。
　紙葉を搬送する際に、その紙葉を搬送する搬送装置と、当該搬送される紙葉を案内するガイド部材との位置関係を好適にすることは、当業者であれば当然に考慮すべきことであり、また、そのような位置関係として、搬送装置とガイド部材が一直線上に位置するような位置関係は当業者であれば当然に想到し得るものである。
　そして、引用発明のものは、ピックアップローラ３に加えて繰り出しローラ６でも紙葉４を搬送し得るものであるために、ピックアップローラ３の配置に関しては、紙葉の受け取り性を考慮して、ピックアップローラ３の下端と可動ガイド１１ａ、１１ｂの受取部１２ａ、１２ｂとの間に空間を設けているものであるといえるが（段落【００１５】参照）、このピックアップローラ３の配置を、紙葉の受け取り性に代えて搬送性を重視して配置することは、当業者の適宜なし得る選択的事項である。
　してみれば、引用発明のものにおいて、紙葉の搬送性を考慮して、ピックアップローラ３の下端と可動ガイド１１ａ、１１ｂの受取部１２ａ、１２ｂとが一直線となるようにし、本願発明の上記相違点の構成とすることは当業者であれば容易になし得たことである。
　
　また、その効果も当業者であれば予想し得る程度のものにすぎない。
　
第６　むすび
　以上のとおり、本願発明は、引用発明に基づき当業者が容易に発明をすることができたものであり、特許法第２９条第２項の規定により特許を受けることができないものであるから、その他の請求項に係る発明について検討するまでもなく、本願は拒絶すべきものである。
　よって、結論のとおり審決する。
　
　
　なお、平成１２年１２月２４日に提出された審判請求書において、当該審判請求書と同時に手続補正書を提出したこと、また、当該手続補正により請求項１を以下のように補正したことにより、当該補正後の請求項１に係る発明（以下、「本願補正発明（案）」という。）は、進歩性を有することを主張している。
　
「受入口（64）から異なる幅の紙幣を受け入れ、当該受入れた紙幣(BN)の中央部を紙幣搬送装置(40)と紙幣(押え)(BN、104)との間に挟んで保持し、 
 当該紙幣(BN)の両端部を一対の移動体(78、80)により前記紙幣の面と直交方向に移動させることにより前記紙幣(BN)を保留部(42)に移動させると共に、 
 前記移動体(78、80)は、それぞれ断面チャンネル形に紙幣の上面を囲う第1保持部(84)、下面を囲う第2保持部(86)及び側縁を囲う側面(87)によって形成された左保持部(88)及び右保持部(92)を有し、 
 前記紙幣(BN)の両端部が対応する前記左保持部(88)及び右保持部(92)を前記搬送装置(40)によって移動されるようにした紙幣収納装置において、 
 　前記第１保持部(84)の先端は前記第2保持部(86)よりも前記側面(87)に位置し、 
 　前記紙幣搬送装置(40)の搬送体(54)の搬送部(60)と前記移動体(78、80)の案内面(85)とが一直線上に位置していることを特徴とする紙幣収納装置における紙幣移動装置。」 
　
　しかしながら、上記手続補正書は提出されていないので、上記主張はそもそも失当である。また、仮に、上記補正がなされたとしても、以下のとおり、本審決の結論に影響を及ぼすものではない。
　
　本願補正発明（案）は、紙幣収納装置が、異なる幅の紙幣を受け入れることができるものであること、また、移動体の第１保持部の先端を第２保持部より側面に位置させたものであることを限定するものである。
　しかし、引用発明のものも、引用文献の段落【０００１】に記載されているように、紙幣を集積することを意図したものであり、紙幣に様々な幅のものがあることは自明であるから、引用発明の集積装置を、異なる幅を有する紙幣をも受け入れられるようにすることは、当業者であれば当然に想到し得ることである。
　また、その構成としても、紙幣の引っ掛かりなどを考慮して、引用発明の可動ガイド１１ａ、１１ｂの上部と下部の内方へ突出させる長さを好適に調整することは、当業者であれば適宜なし得ることである。
　してみれば、引用発明の集積装置を、異なる幅の紙幣を受け入れるようにするとともに、異なる幅の紙幣の集積を円滑にするため、可動ガイド１１ａ、１１ｂの構成を変更し、上記本願補正発明（案）のようにすることは、当業者であれば容易になし得たことである。